(57)【要約】  本明細書は、加盟店ＡＳＰサーバーを開示する。前記サーバーは、決済用ネットキー要請を受信すると、前記要請に含まれた取引関連情報に基づいてトークンを生成し、前記生成されたトークン及び加盟店識別子に基づいてネットキーを生成するトークン発行機能部と、前記ネットキーの伝達を受けたスマート金庫と連動して前記生成されたトークンを処理するトークン処理部と、決済用端末機から前記トークンの確認要請を受信して前記トークンの処理成否を確認するトークン確認部を含む。【選択図】        図１
2015526774.tif 000002
【特許請求の範囲】
【請求項１】
決済用端末機から決済要請を受信すると、前記要請に含まれた取引関連情報に基づいてトークンを生成し、前記生成されたトークン及び加盟店識別子に基づいて決済用ネットキーを生成するトークン発行機能部、
前記決済用ネットキーの伝達を受けた購買者端末機から前記決済用ネットキーを受信したスマート金庫と連動して、前記生成されたトークンを処理するトークン処理部、
前記決済用端末機から前記トークンの確認要請を受信して、前記トークンの処理成否を確認するトークン確認部を含むことを特徴とする、加盟店ＡＳＰ（Ａｐｐｌｉｃａｔｉｏｎ  Ｓｅｒｖｉｃｅ  Ｐｒｏｖｉｄｅｒ）サーバー。
【請求項２】
ＡＳＰ契約情報、決済端末情報、トークン情報、及びＡＳＰ取引情報のうち少なくとも一つ以上を保存するデータベースをさらに含むことを特徴とする、請求項１に記載の加盟店ＡＳＰサーバー。
【請求項３】
前記決済用ネットキーは、前記加盟店ＡＳＰサーバーから前記決済用端末機に送信され、前記決済用端末機によってＱＲ（Ｑｕｉｃｋ  Ｒｅｓｐｏｎｓｅ）コードに変換されることを特徴とする、請求項１に記載の加盟店ＡＳＰサーバー。
【請求項４】
前記決済用ネットキーは、前記ＱＲコードから前記購買者端末機によって抽出されて前記スマート金庫へ伝達されることを特徴とする、請求項３に記載の加盟店ＡＳＰサーバー。
【請求項５】
前記スマート金庫は、購買者の認証用個人情報及び決済情報を保存することを特徴とする、請求項１に記載の加盟店ＡＳＰサーバー。
【請求項６】
決済用端末機がウェブサーバーへ決済を要請する段階、
前記ウェブサーバーが、加盟店ＡＳＰ（Ａｐｐｌｉｃａｔｉｏｎ  Ｓｅｒｖｉｃｅ  Ｐｒｏｖｉｄｅｒ）サーバーにサイト識別子及び決済情報を基盤とした決済用ネットキーを要求する段階、
前記加盟店ＡＳＰサーバーが、前記決済要請に対応するトークンを生成する段階、
前記加盟店ＡＳＰサーバーが、前記生成したトークン及び加盟店識別子を基盤として決済用ネットキーを生成する段階、
前記加盟店ＡＳＰサーバーが、前記生成したトークン及び決済用ネットキーをウェブサーバーに伝送する段階、
前記ウェブサーバーが、前記受信した決済用ネットキーに基づいてＱＲ（Ｑｕｉｃｋ  Ｒｅｓｐｏｎｓｅ）コードイメージを生成する段階、
前記ウェブサーバーが、前記ＱＲコードイメージを含んだ画面を作成し、前記作成した画面を前記クライアント端末に送信する段階、を含むことを特徴とするオンライン決済方法。
【請求項７】
購買者端末機が前記決済用端末機に表示された前記ＱＲコードイメージから前記決済用ネットキーを抽出してスマート金庫に送信する段階、
前記スマート金庫が前記加盟店ＡＳＰサーバーと連動して前記要請された決済を進行する段階をさらに含むことを特徴とする、請求項６に記載のオンライン決済方法。
【請求項８】
前記ウェブサーバーが、前記決済用端末機のトークン監視要求に応じてトークン処理成否を周期的に確認する段階、
トークン処理が完了した状態ならば、前記ウェブサーバーが前記決済用端末機にトークン処理が完了したことを通知する段階、をさらに含むことを特徴とする、請求項６に記載のオンライン決済方法。
【請求項９】
前記スマート金庫は、購買者の認証用個人情報及び決済情報を保存することを特徴とする、請求項６に記載のオンライン決済方法。
【請求項１０】
前記トークンは、所定の有効時間が指定され、前記所定の有効時間内に処理される場合にのみ有効であることを特徴とする、請求項６に記載のオンライン決済方法。
【請求項１１】
決済用端末機が、加盟店ＡＳＰ（Ａｐｐｌｉｃａｔｉｏｎ  Ｓｅｒｖｉｃｅ  Ｐｒｏｖｉｄｅｒ）サーバーに決済金額及び決済関連情報を伝送して決済を要請する段階、
前記加盟店ＡＳＰサーバーが、前記決済金額及び決済関連情報に対応するトークンを生成する段階、
前記加盟店ＡＳＰサーバーが、前記生成したトークン及び加盟店識別子を基盤として決済用ネットキーを生成し、前記決済用端末機で前記決済用ネットキーを伝送する段階、
前記決済用端末機が、前記受信した決済用ネットキーを購買者端末機へ伝達する段階、
前記加盟店ＡＳＰサーバーが、前記決済用ネットキーの伝達を受けた前記購買者端末機から前記決済用ネットキーを受信したスマート金庫と連動して、前記要請された決済を処理する段階、
前記加盟店ＡＳＰサーバーが、前記処理された決済結果を前記決済用端末機に送信する段階、を含むことを特徴とするオフライン決済方法。
【請求項１２】
前記決済用端末機が初期化されなかった場合、
前記決済用端末機が、加盟店ＡＳＰ（Ａｐｐｌｉｃａｔｉｏｎ  Ｓｅｒｖｉｃｅ  Ｐｒｏｖｉｄｅｒ）サーバーへ前記決済用端末機の初期化を要請する段階、
前記加盟店ＡＳＰサーバーが、前記要請に対応するトークンを生成する段階、
前記加盟店ＡＳＰサーバーが、前記生成したトークン及び加盟店識別子を基盤として初期化ネットキーを生成し、前記決済用端末機に前記生成された初期化ネットキーを伝送する段階、
前記決済用端末機が前記受信した初期化ネットキーを加盟店代表端末機へ伝達する段階、
前記加盟店ＡＳＰサーバーが、前記初期化ネットキーの伝達を受けた前記加盟店代表端末機から前記初期化ネットキーを受信したスマート金庫と連動して、前記要請された決済用端末機初期化を処理する段階、
前記加盟店ＡＳＰサーバーが、前記処理された初期化結果を前記決済用端末機に送信する段階、をさらに含むことを特徴とする、請求項１１に記載のオフライン決済方法。
【請求項１３】
前記決済用端末機の初期化を要請する段階は、
前記決済用端末機が前記加盟店ＡＳＰ（Ａｐｐｌｉｃａｔｉｏｎ  Ｓｅｒｖｉｃｅ  Ｐｒｏｖｉｄｅｒ）サーバーに前記決済用端末機の端末機識別番号及び電話番号を伝送する段階をさらに含み、
前記加盟店ＡＳＰサーバーが、前記要請に対応するトークンを生成する段階は、
前記加盟店ＡＳＰサーバーが、前記初期化要請に対応する取引識別番号を生成し、前記生成された取引識別番号を基盤としてＡＳＰ取引情報を追加する段階をさらに含むことを特徴とする、請求項１２に記載のオフライン決済方法。
【請求項１４】
前記決済端末機初期化ネットキーを加盟店代表端末機へ伝達する段階は、
前記決済用端末機が前記初期化ネットキーに基づいて生成したＱＲ（Ｑｕｉｃｋ  Ｒｅｓｐｏｎｓｅ）コードイメージから前記加盟店代表者端末機が前記初期化ネットキーを抽出する段階であるか、または前記決済用端末機が近距離無線通信を介して前記初期化ネットキーを加盟店代表端末機に伝送する段階であることを特徴とする、請求項１２に記載のオフライン決済方法。
【請求項１５】
前記決済用端末機初期化を処理する段階は、
前記加盟店ＡＳＰサーバーが、前記加盟店代表端末機から受信した前記初期化ネットキーに含まれたトークン、前記決済用端末機の識別番号及び前記決済用端末機の電話番号を受信する段階、
前記トークンの有効処理時刻を基準として有効可否を判断する段階、
前記トークンが有効な場合、前記決済用端末機を正常登録する段階、
前記トークンが有効でない場合、
前記受信した決済用端末機の電話番号に対応する契約情報を照会し、
前記受信した決済用端末機の電話番号に対応する契約情報が存在すれば、前記決済用端末機が前記契約代表者端末機と同一なものと判定して正常登録し、
前記受信した決済用端末機の電話番号に対応する契約情報が存在しなければ、前記決済用端末機を登録しない段階、をさらに含むことを特徴とする、請求項１２に記載のオフライン決済方法。
【請求項１６】
前記加盟店ＡＳＰサーバーが、前記決済金額及び決済関連情報に対応するトークンを生成する段階は、
前記決済要請に対応する取引識別番号を生成し、前記生成された取引識別番号を基盤としてＡＳＰ取引情報を追加する段階をさらに含むことを特徴とする、請求項１１に記載のオフライン決済方法。
【請求項１７】
前記決済用ネットキーを購買者端末機へ伝達する段階は、
前記決済用端末機が、前記決済用ネットキーに基づいて生成したＱＲ（Ｑｕｉｃｋ  Ｒｅｓｐｏｎｓｅ）コードイメージから前記購買者端末機が前記決済用ネットキーを抽出する段階であるか、または
前記決済用端末機が、近距離無線通信を介して前記決済用ネットキーを前記購買者端末機に伝送する段階であることを特徴とする、請求項１１に記載のオフライン決済方法。
【発明の詳細な説明】
【技術分野】
【０００１】
本明細書は、移動通信端末機を利用した決済サービスに関するもので、移動体通信事業者が保管及び管理している移動通信加入者の個人情報やカード情報を含んだ決済情報を利用した決済サービスと連動して、カードリーダー機がなくてもカード決済が可能なようにする移動通信端末機の決済アプリケーション及び加盟店ＡＳＰ（Ａｐｐｌｉｃａｔｉｏｎ  Ｓｅｒｖｉｃｅ  Ｐｒｏｖｉｄｅｒ）システム及び方法に関する。
【背景技術】
【０００２】
カメラ付の移動通信端末機の普及により、バーコードをスキャンするアプリケーションを実行して、ＱＲコードのような２次元バーコードを移動通信端末機で読み取ることが可能である。
【０００３】
また、最近、世界標準の近距離無線規格であるブルートゥース（ＢｌｕｅＴｏｏｔｈ）及び／またはＮＦＣを搭載した移動通信端末機の普及により、近距離無線通信によって移動通信端末機間で互いにデータを送受信することが可能である。
【０００４】
移動通信端末機を利用した認証、会員登録、そして決済サービスのためのアプリケーション、携帯端末を利用した前払い及び後払い決済システム等の開発により、移動通信端末機を介して決済が可能である。
【０００５】
しかし従来の技術を利用した認証、決済のためには、移動体通信事業者の加盟店サーバーやシステムが必要であるが、零細な小商工人には独自に加盟店サーバーシステムを駆逐するのは難しいことがある。したがって、より経済的かつ便利な決済方法及び決済システムが要請される。
【発明の概要】
【発明が解決しようとする課題】
【０００６】
本明細書は、加盟店のＡＳＰ（Ａｐｐｌｉｃａｔｉｏｎ  Ｓｅｒｖｉｃｅ  Ｐｒｏｖｉｄｅｒ）システムを提供することが目的である。また本明細書は、スマートフォン、タブレットＰＣに、アプリケーションの設置だけで移動売場ででも使用可能な決済システムを提供することが目的である。
【課題を解決するための手段】
【０００７】
本明細書の一実施例により、加盟店ＡＳＰサーバーが提供される。前記サーバーは、決済用端末機から決済要請を受信すると、前記要請に含まれた取引関連情報に基づいてトークンを生成し、前記生成されたトークン及び加盟店識別子に基づいて決済用ネットキーを生成するトークン発行機能部と、前記決済用ネットキーの伝達を受けた購買者端末機から前記決済用ネットキーを受信したスマート金庫と連動して、前記生成されたトークンを処理するトークン処理部と、前記決済用端末機から前記トークンの確認要請を受信して、前記トークンの処理成否を確認するトークン確認部、を含むことができる。
【０００８】
前記サーバーは、ＡＳＰ契約情報、決済端末情報、トークン情報、及びＡＳＰ取引情報のうち少なくとも一つ以上を保存するデータベースをさらに含むことができる。
【０００９】
前記決済用ネットキーは、前記加盟店ＡＳＰサーバーから前記決済用端末機に伝送され、前記決済用端末機によってＱＲ（Ｑｕｉｃｋ  Ｒｅｓｐｏｎｓｅ）コードに変換されることができる。
【００１０】
前記決済用ネットキーは、前記ＱＲコードから前記購買者端末機によって抽出されて前記スマート金庫へ伝達されることができる。
【００１１】
前記スマート金庫は、購買者の認証用個人情報及び決済情報を保存することができる。
【００１２】
本明細書の他の実施例により、オンライン決済方法が提供される。前記方法は、決済用端末機がウェブサーバーへ決済を要請する段階と、前記ウェブサーバーが、加盟店ＡＳＰ（Ａｐｐｌｉｃａｔｉｏｎ  Ｓｅｒｖｉｃｅ  Ｐｒｏｖｉｄｅｒ）サーバーにサイト識別子及び決済情報を基盤とした決済用ネットキーを要求する段階と、前記加盟店ＡＳＰサーバーが、前記決済要請に対応するトークンを生成する段階と、前記加盟店ＡＳＰサーバーが、前記生成したトークン及び加盟店識別子を基盤として決済用ネットキーを生成する段階と、前記加盟店ＡＳＰサーバーが、前記生成したトークン及び決済用ネットキーをウェブサーバーに伝送する段階と、前記ウェブサーバーが、前記受信した決済用ネットキーに基づいてＱＲ（Ｑｕｉｃｋ  Ｒｅｓｐｏｎｓｅ）コードイメージを生成する段階と、前記ウェブサーバーが、前記ＱＲコードイメージを含んだ画面を作成し、前記作成した画面を前記クライアント端末に送信する段階、を含むことができる。
【００１３】
前記方法は、購買者端末機が前記決済用端末機に表示された前記ＱＲコードイメージから前記決済用ネットキーを抽出してスマート金庫に送信する段階と、前記スマート金庫が前記加盟店ＡＳＰサーバーと連動して前記要請された決済を進行する段階をさらに含むことができる。
【００１４】
前記ウェブサーバーが、前記決済用端末機のトークン監視要求に応じてトークン処理成否を周期的に確認する段階と、トークン処理が完了した状態ならば、前記ウェブサーバーが前記決済用端末機にトークン処理が完了したことを通知する段階をさらに含むことができる。
【００１５】
前記スマート金庫は、購買者の認証用個人情報及び決済情報を保存することができる。
【００１６】
前記トークンは、所定の有効時間が指定され、前記所定の有効時間内に処理される場合にのみ有効であることができる。
【００１７】
本明細書のまた他の実施例により、オフライン決済方法が提供される。前記方法は、決済用端末機が、加盟店ＡＳＰ（Ａｐｐｌｉｃａｔｉｏｎ  Ｓｅｒｖｉｃｅ  Ｐｒｏｖｉｄｅｒ）サーバーに決済金額及び決済関連情報を伝送して決済を要請する段階と、前記加盟店ＡＳＰサーバーが、前記決済金額及び決済関連情報に対応するトークンを生成する段階と、前記加盟店ＡＳＰサーバーが、前記生成したトークン及び加盟店識別子を基盤として決済用ネットキーを生成し、前記決済用端末機へ前記決済用ネットキーを伝送する段階と、前記決済用端末機が、前記受信した決済用ネットキーを購買者端末機へ伝達する段階と、前記加盟店ＡＳＰサーバーが、前記決済用ネットキーの伝達を受けた前記購買者端末機から前記決済用ネットキーを受信したスマート金庫と連動して、前記要請された決済を処理する段階と、前記加盟店ＡＳＰサーバーが、前記処理された決済結果を前記決済用端末機に送信する段階、を含むことができる。
【００１８】
前記方法は、前記決済用端末機が初期化されなかった場合、前記決済用端末機が、加盟店ＡＳＰ（Ａｐｐｌｉｃａｔｉｏｎ  Ｓｅｒｖｉｃｅ  Ｐｒｏｖｉｄｅｒ）サーバーへ前記決済用端末機の初期化を要請する段階と、前記加盟店ＡＳＰサーバーが、前記要請に対応するトークンを生成する段階と、前記加盟店ＡＳＰサーバーが、前記生成したトークン及び加盟店識別子を基盤として初期化ネットキーを生成し、前記決済用端末機に前記生成された初期化ネットキーを伝送する段階と、前記決済用端末機が前記受信した初期化ネットキーを加盟店代表端末機に伝達する段階と、前記加盟店ＡＳＰサーバーが、前記初期化ネットキーの伝達を受けた前記加盟店代表端末機から前記初期化ネットキーを受信したスマート金庫と連動して、前記要請された決済用端末機初期化を処理する段階と、前記加盟店ＡＳＰサーバーが、前記処理された初期化結果を前記決済用端末機に送信する段階、をさらに含むことができる。
【００１９】
前記決済端末機初期化ネットキーを加盟店代表端末機に伝達する段階は、前記決済用端末機が前記初期化ネットキーに基づいて生成したＱＲ（Ｑｕｉｃｋ  Ｒｅｓｐｏｎｓｅ）コードイメージから前記加盟店代表者端末機が前記初期化ネットキーを抽出する段階であるか、または前記決済用端末機が近距離無線通信を介して前記初期化ネットキーを加盟店代表端末機に伝送する段階であることができる。
【００２０】
前記決済用端末機初期化を処理する段階は、前記加盟店ＡＳＰサーバーが、前記加盟店代表端末機から受信した前記初期化ネットキーに含まれたトークン、前記決済用端末機の識別番号及び前記決済用端末機の電話番号を受信する段階と、前記トークンの有効処理時刻を基準として有効可否を判断する段階と、前記トークンが有効な場合、前記決済用端末機を正常登録する段階と、前記トークンが有効でない場合、前記受信した決済用端末機の電話番号に対応する契約情報を照会し、前記受信した決済用端末機の電話番号に対応する契約情報が存在すれば、前記決済用端末機が前記契約代表者端末機と同一なものと判定して正常登録し、前記受信した決済用端末機の電話番号に対応する契約情報が存在しなければ、前記決済用端末機を登録しない段階、をさらに含むことができる。
【００２１】
前記決済用端末機の初期化を要請する段階は、前記決済用端末機が前記加盟店ＡＳＰ（Ａｐｐｌｉｃａｔｉｏｎ  Ｓｅｒｖｉｃｅ  Ｐｒｏｖｉｄｅｒ）サーバーに前記決済用端末機の端末機識別番号及び電話番号を伝送する段階をさらに含み、前記加盟店ＡＳＰサーバーが、前記要請に対応するトークンを生成する段階は、前記加盟店ＡＳＰサーバーが、前記初期化要請に対応する取引識別番号を生成し、前記生成された取引識別番号を基盤としてＡＳＰ取引情報を追加する段階をさらに含むことができる。
【００２２】
前記加盟店ＡＳＰサーバーが、前記決済金額及び決済関連情報に対応するトークンを生成する段階は、前記決済要請に対応する取引識別番号を生成し、前記生成された取引識別番号を基盤としてＡＳＰ取引情報を追加する段階をさらに含むことができる。
【００２３】
前記決済用ネットキーを購買者端末機へ伝達する段階は、前記決済用端末機が、前記決済用ネットキーに基づいて生成したＱＲ（Ｑｕｉｃｋ  Ｒｅｓｐｏｎｓｅ）コードイメージから前記購買者端末機が前記決済用ネットキーを抽出する段階であるか、または前記決済用端末機が、近距離無線通信を介して前記決済用ネットキーを前記購買者端末機に伝送する段階であることができる。
【発明の効果】
【００２４】
従来のシステムでは、ＩＤやパスワード、個人情報、決済情報をクライアントで入力操作して保安上の危険と使用者の不安があった。移動体通信事業者に直接加盟店契約をすることができない小規模のウェブサイトは、本明細書のシステムを利用することができるようになり、ＩＤやパスワード、個人情報、決済情報を入力せず、使用者に安全かつ便利な認証サービス、会員登録サービス、決済サービスを提供することができる。
【００２５】
本明細書の販売者の決済端末機６００アプリケーションと加盟店ＡＳＰシステムは、互いに連動してネットキーとスマート金庫サービスを具現し、スマート金庫に保管されている決済情報を利用するため、販売者の決済端末機６００ではカード情報のような決済情報が必要なくなり、簡単かつ安全に決済が可能である。また、決済のための経路が簡単になるため、決済手数料が低廉となり、結果的に販売者と購買者の両方に利益となる。
【図面の簡単な説明】
【００２６】
【図１】オンライン決済のためのネットキーとスマート金庫システムの構成を示した例示図である。
【図２】オフライン決済のためのネットキーとスマート金庫システムの構成を示した例示図である。
【図３】本明細書の実施例による決済用端末機の構成図である。
【図４】本明細書の実施例によるスマート金庫サーバーの機能ブロック図である。
【図５】本明細書の実施例による加盟店ＡＳＰサーバーのブロック図である。
【図６】本明細書の実施例によるウェブサーバーの機能ブロック図である。
【図７】本明細書の実施例により販売者の決済用端末機で決済用アプリケーションが実行されるフロー図である。
【図８】本明細書の実施例によるオンライン売場での決済過程を示したフロー図である。
【図９】本明細書の実施例による決済用端末機の初期化過程を示したフロー図である。
【図１０】本明細書の実施例による決済用端末機を利用して決済する過程を示したフロー図である。
【図１１】本明細書の実施例による決済用端末機の初期化過程画面を示した図である。
【図１２】本明細書の実施例による決済用端末機を利用した決済過程を示した図である。
【発明を実施するための形態】
【００２７】
本明細書で使用される技術的用語は、単に特定の実施例を説明するために使用されたものであり、本発明を限定しようとする意図ではないことを留意しなければならない。また、本明細書で使用される技術的用語は、本明細書で特に他の意味に定義されない限り、本発明が属する技術分野で通常の知識を有する者によって一般的に理解される意味で解釈されなければならず、過度に包括的な意味に解釈されたり、過度に縮小した意味に解釈されてはならない。また、本明細書で使用される技術的な用語が、本発明の思想を正確に表現することができない誤った技術的用語であるときには、当業者が正しく理解することができる技術的用語に代替されて理解されなければならないものである。また、本発明で使用される一般的な用語は、事前に定義されているところに従って、または前後の文脈上に従って解釈されなければならず、過度に縮小した意味に解釈されてはならない。
【００２８】
以下、添付された図面を参照して本発明による好ましい実施例を詳しく説明するが、図面符号に関係なく、同一か類似の構成要素は同一の参照番号を付与し、これについての重複した説明は省略することにする。また、本発明を説明するにおいて関連した公知技術についての具体的な説明が、本発明の要旨を不明瞭にし得ると判断される場合、その詳細な説明を省略する。また、添付された図面は、本発明の思想を容易に理解することができるようにするためのものであるだけで、添付された図面によって本発明の思想が制限されるものと解釈されてはならないことに留意しなければならない。本発明の思想は、添付された図面の外に全ての変更、均等物ないし代替物にまでも拡張されるものと解釈されなければならない。
【００２９】
図１は、オンライン決済のためのネットキーとスマート金庫システムの構成を示した例示図である。また図２は、オフライン決済のためのネットキーとスマート金庫システムの構成を示した例示図である。
【００３０】
本明細書の決済システム（アプリケーションサービスプロバイダー（ＡＳＰ）システム）は、購買者端末機１００、スマート金庫サーバー２００、加盟店ＡＳＰサーバー３００、ウェブサーバー４００、ネットキーが含まれたＱＲコードを画面に表示するクライアント端末５００、販売者の決済用端末機６００等を含んで構成されることができる。前記各構成要素は、有無線通信網、ＶＰＮ（Ｖｉｒｔｕａｌ  Ｐｒｉｖａｔｅ  Ｎｅｔｗｏｒｋ）等９００、９１０、９２０、９３０で相互接続されることができる。
【００３１】
前記ネットキーは、１回性トークンとトークンを発行した発行者識別情報とを含み、ネットキーのデータ形態は、トークンを発行した加盟店ＡＳＰサーバー３００と、移動通信端末機１００からネットキーを受信したスマート金庫サーバー２００が、ネットキーからトークンと発行者識別情報を分離することができるように相互約束されたデータ形態である。
【００３２】
前記トークンは、加盟店ＡＳＰサーバー３００で発行し、加盟店ＡＳＰサーバーで唯一の識別子で有効時間を設定することができる。トークンは、設定した有効時間内にトークンを発行した加盟店ＡＳＰサーバー３００で回収されて処理される時に有効なように構成される。
【００３３】
前記スマート金庫は、会員登録サービスと認証サービス等のために加入者の認証用個人情報、決済サービスのための加入者の決済情報を保管／管理するサーバーであり、外部では移動体通信事業者に前記購買用移動通信端末機１００使用契約とスマート金庫サービス使用契約を前提として、前記購買用移動通信端末機１００に決済用アプリケーションを設置し、実行して約束された形態のネットキーを送信し、前記スマート金庫は、約束された形態のネットキーのみ濾過して受信するため、外部でスマート金庫にいかなる制御命令もすることができず保安に優れることが特徴である。
【００３４】
前記トークン、前記ネットキー、前記スマート金庫のような用語は、本明細書の機能を考慮して定義された用語であり、これは使用者、運用者の意図または慣例等によって変わることがあり得る。それゆえ、その定義は、本明細書全般にわたった内容を土台にしなければならない。
【００３５】
前記購買者端末機１００は、決済用アプリケーション、ＱＲコードをスキャンすることができるカメラ等を備え、ＢｌｕｅＴｏｏｔｈやＮＦＣ（Ｎｅａｒ  Ｆｉｅｌｄ  Ｃｏｍｍｕｎｉｃａｔｉｏｎ）のような近距離無線通信機能を備えてネットキーを受信し、スマート金庫２００にネットキーを送信することができる。
【００３６】
本明細書の実施例によるオンライン決済方法は、決済用端末機（クライアント端末機）５００がウェブサーバー４００に決済を要求する過程、ウェブサーバー４００が加盟店ＡＳＰサーバー３００に決済関連情報（サイトＩＤ、金額情報等）を基盤として決済用ネットキーを要求する過程、加盟店ＡＳＰサーバー３００がＡＳＰ取引情報３９４にデータを追加する過程、加盟店ＡＳＰサーバー３００がトークンを生成してトークン情報にデータを追加する過程、加盟店ＡＳＰサーバー３００が前記生成したトークンと加盟店を識別するＩＤで決済用ネットキーを生成する過程、加盟店ＡＳＰサーバー３００が前記生成したトークンと決済用ネットキーをウェブサーバー４００に伝送する過程を含むことができる。
【００３７】
前記オンライン決済方法は、ウェブサーバー４００が、加盟店ＡＳＰサーバー３００から、決済用ネットキー要求に対する応答としてトークンと決済用ネットキーを受信する過程、ウェブサーバー４００が取引情報データベースに情報を追加する過程、ウェブサーバー４００が、受信したトークンでトークン情報データベースに情報を追加する過程、ウェブサーバー４００が、受信した決済用ネットキーに基づいてＱＲコードイメージを生成する過程、ウェブサーバー４００がＱＲコードイメージを含んだ画面を作成する過程、作成した画面を決済用端末機（クライアント端末）５００に送信する過程を含むことができる。
【００３８】
前記オンライン決済方法は、購買者端末機１００が、決済用端末機（クライアント端末）５００の表示部に表示されたＱＲコードイメージから決済用ネットキーを抽出してスマート金庫２００に送信する過程、スマート金庫２００が、ネットキー受信機能部２１０、認証機能部２２０、決済機能部２３０を介して加盟店ＡＳＰサーバー３００と通信して決済を進行する過程、加盟店ＡＳＰサーバー３００が、トークン情報データベースの情報及びＡＳＰ取引情報を更新する過程を含むことができる。
【００３９】
前記オンライン決済方法は、ウェブサーバー４００が、トークン情報４９２の情報及び取引情報４９３のデータを更新する過程を含むことができる。この時、加盟店ＡＳＰサーバー３００とウェブサーバー４００は連動して通信する。
【００４０】
前記オンライン決済方法は、ウェブサーバー４００が、決済用端末機（クライアント端末）５００のトークン監視要求に応じてトークンデータベース４９２を周期的に確認する過程、トークン処理が完了した状態ならば、決済用端末機（クライアント端末）５００にトークン処理が完了したことを通知する過程を含むことができる。
【００４１】
図３は、本明細書の実施例による決済用端末機６００の構成図である。
【００４２】
図３を参照すれば、本明細書の実施例による販売者の決済用端末機６００は、制御部６１０、表示部６２０、無線通信部６３０、保存部６４０、入力部６５０、近距離通信部６６０等を含むことができる。
【００４３】
表示部６２０は、制御部６１０によって情報を表示する。無線通信部６３０は、ネットワーク網９００等を経由してスマート金庫サーバー２００、加盟店ＡＳＰサーバー３００と通信機能を遂行する。保存部６４０は、ＲＯＭ（Ｒｅａｄ  Ｏｎｌｙ  Ｍｅｍｏｒｙ）、ＵＳＩＭ（Ｕｎｉｖｅｒｓａｌ  Ｓｕｂｓｃｒｉｂｅｒ  Ｉｄｅｎｔｉｔｙ  Ｍｏｄｕｌｅ）、非揮発性モバイルメモリー等であることができ、移動通信端末機の運営体制をはじめとして決済用アプリケーションとアプリケーションに必要なファイルが保存されている記録媒体で、前記アプリケーションとファイルは制御部６１０によって読み込まれて実行される。入力部６５０は、キーパッドやタッチ装置と音声認識技術を利用した音声入力等の入力手段であり、使用者が入力したものを制御部６１０に伝達する。近距離通信部６６０は、移動通信端末機１００にネットキー送信することができる，
決済用端末機６００は、決済用アプリケーション、決済用アプリケーションが保存された記録媒体を備え、入力部６５０の操作によって前記アプリケーションが駆動され、移動通信端末機を決済用端末機として使用するための決済用端末機初期設定手段、前記入力部６５０の操作により決済する金額を入力して決済を要請する決済要求手段、前記の端末機初期設定手段または決済要求手段で該当するトークンについて処理状態を確認するトークン処理確認手段を含むことができる。
【００４４】
前記初期設定手段は、アプリケーションが起動すると、保存部６４０に端末機初期化状態が保管されているか状態を確認し、初期化が終わっている場合は、請求金額入力画面に移動するか、初期化段階未実施の場合は、入力部６５０の操作により端末機使用のための同意と共に端末機初期化段階を実施する。
【００４５】
前記端末機初期化段階は、初期化対象端末機の端末機識別番号、電話番号を基盤として加盟店ＡＳＰサーバー３００に初期化ネットキーを要求する初期化ネットキー要求段階、加盟店ＡＳＰサーバー３００から初期化ネットキーを受信すると、初期化ネットキーからトークンを抽出するトークン抽出段階、受信した初期化ネットキーでＱＲコードイメージを生成するＱＲコードイメージ生成段階、表示部６２０にＱＲコードイメージを表示するＱＲコード表示段階を含むことができる。
【００４６】
前記決済用端末機初期化段階は、前記ＡＳＰ契約情報３９１の契約代表者端末機（加盟店代表端末機）が、前記決済用端末機６００の表示部６２０のＱＲコードイメージをスキャンしてネットキーの受信を受けトークンを処理するトークン処理手段を施行後、前記トークン処理確認手段を実施してトークンが処理された場合に保存部６４０に初期化完了状態を保存する段階であることができる。
【００４７】
前記トークン処理確認手段は、前記決済用端末機６００の表示部６２０に表示された初期化（トークン確認）ボタンを入力部６５０の操作により押すことによって、前記トークンを前記加盟店ＡＳＰサーバー３００に送信することができる。
【００４８】
前記トークン処理確認手段は、前記加盟店ＡＳＰサーバー３００でトークンが処理された場合は、保存部６４０に端末機初期化が完了した状態を保存し、次の画面に移動するようにすることができる。
【００４９】
前記トークン処理確認手段は、前記加盟店ＡＳＰサーバー３００から受信したトークン処理状態の応答が未処理状態の場合、前記決済用端末機６００の表示部６２０にトークンが未処理中であることを知らせるメッセージを表示するようにすることができる。
【００５０】
前記決済要求手段は、決済用端末機６００に、決済する金額をＢｌｕｅＴｏｏｔｈのような外部信号または音声認識のような音声入力、またはキーパッド、タッチパッドのような入力部６５０の操作により決済金額を入力することができる。
【００５１】
前記決済要求手段は、決済用端末機６００に入力された決済金額と、分割回数、端末機識別番号を基盤として加盟店ＡＳＰサーバー３００に決済用ネットキーを要求するネットキー要求段階、加盟店ＡＳＰサーバー３００からネットキーを受信すると、ネットキーからトークンを抽出するトークン抽出段階、受信した決済用ネットキーでＱＲコードイメージを生成するＱＲコードイメージ生成段階、表示部６２０にＱＲコードイメージを表示するＱＲコード表示段階を遂行することができる。
【００５２】
前記決済要求手段は、決済用端末機６００に入力された決済金額と、分割回数、端末機識別番号を基盤として加盟店ＡＳＰサーバー３００に決済用ネットキーを要求するネットキー要求段階、加盟店ＡＳＰサーバー３００から決済用ネットキーを受信すると、ネットキーからトークンを抽出するトークン抽出段階、受信したネットキーを近距離通信部６６０を介して送信することができる。
【００５３】
図４は、本明細書の実施例によるスマート金庫サーバー２００の機能ブロック図である。
【００５４】
図４を参照してみれば、本明細書の実施例によるスマート金庫サーバー２００は、ネットキー受信機能部２１０、認証機能部２２０、決済機能部２３０、結果送信機能部２４０、個人情報２９１と決済情報２９２を保管／管理するデータベース２９０を含むことができる。
【００５５】
図５は、本明細書の実施例による加盟店ＡＳＰサーバー３００のブロック図である。
【００５６】
図５を参照してみれば、本明細書の実施例による加盟店ＡＳＰサーバー３００は、トークン発行機能部３１０、トークン処理部３２０、トークン確認部３３０、及びＡＳＰ契約情報３９１、決済端末情報３９２、トークン情報３９３、ＡＳＰ取引情報３９４等を保管／管理するデータベース３９０を含むことができる。
【００５７】
前記トークン発行機能部３１０は、決済用ネットキー要請を受信すると、前記要請に含まれた取引関連情報に基づいてトークンを生成し、前記生成されたトークン及び加盟店識別子に基づいてネットキーを生成することができる。
【００５８】
前記トークン処理部は、前記ネットキーの伝達を受けたスマート金庫と連動して前記生成されたトークンを処理することができる。
【００５９】
前記トークン確認部は、決済用端末機から前記トークンの確認要請を受信して前記トークンの処理成否を確認することができる。
【００６０】
販売者は、加盟店ＡＳＰ業社に加盟店サーバー使用契約を締結し、加盟店ＡＳＰサーバー３００のデータベース３９０にＡＳＰ契約情報３９１を保管する。前記ＡＳＰ契約情報３９１は、事業者を識別するために法人番号、事業者番号をキー値とする唯一のＡＳＰ識別ＩＤと、店鋪番号、事業体名称、オンラインまたはオフライン決済を区分するＡＳＰ区分、契約代表者の電話番号、決済に対する精算のための契約者の口座情報、契約者のウェブサイトＵＲＬ情報等を含むことができる。前記ウェブサイトＵＲＬ情報は、前記ＡＳＰ区分がオンラインの場合は必須情報である。
【００６１】
端末機初期化のためのネットキー要求段階に、前記加盟店ＡＳＰサーバー３００は、決済用端末機識別番号を受信し、唯一の取引識別番号を生成し、生成した取引識別番号をキー値としてＡＳＰ取引情報３９４に情報を追加するＡＳＰ取引情報作成過程を遂行することができる。
【００６２】
端末機初期化のためのネットキー要求段階に、前記加盟店ＡＳＰサーバー３００は、唯一のトークンを生成し、生成したトークンをキー値としてトークン情報３９３にデータを追加するトークン情報作成過程を含むことができる。
【００６３】
前記ＡＳＰ取引情報３９４は、取引識別番号、決済用端末機識別番号、処理要求日、処理区分、請求金額、分割回数、トークン処理端末機電話番号、精算日等を含むことができる。
【００６４】
決済用端末機初期化のためのネットキー要求段階に、前記加盟店ＡＳＰサーバー３００は、取引識別番号、決済用端末機識別番号、処理要求日、処理区分のデータを登録することができる。前記トークン情報３９３は、トークン、取引識別番号、トークン発行時刻、トークン処理時刻を含むことができる。
【００６５】
決済用端末機初期化のためのネットキー要求段階に、前記加盟店ＡＳＰサーバー３００は、トークン情報作成過程でトークン、前記取引識別番号、トークン発行時刻のデータを登録することができる。
【００６６】
前記加盟店ＡＳＰサーバー３００は、スマート金庫サーバー２００からトークンと電話番号の受信を受けて、前記トークン情報３９３からトークンと一致する取引識別番号を取得する段階、取得した取引識別番号をキー値としてＡＳＰ取引情報３９４から取引識別番号が一致する処理区分を取得する段階、取得した処理区分が端末機設定の場合、ＡＳＰ取引情報３９４のトークン処理端末機電話番号の項目を前記受信した電話番号に更新する段階、前記トークン情報３９３のトークン処理時刻をシステム時刻に更新する段階を含むことができる。
【００６７】
決済用端末機初期化段階に、前記加盟店ＡＳＰサーバー３００は、トークン、端末機識別番号、電話番号を受信するパラメーター受信段階、受信したトークンをキー値として前記トークン情報３９３で取引識別番号とトークン処理時刻を照会する段階、前記トークン処理時刻が有効な値がある場合、トークンが処理されたものと判定し、取引識別番号をキー値として前記ＡＳＰ取引情報３９４でトークン処理電話番号を照会する段階、照会した電話番号をキー値として前記ＡＳＰ契約情報３９１でＡＳＰ識別ＩＤと店鋪番号を照会する段階、前記パラメーターである端末機識別番号をキー値として決済端末機情報３９２にＡＳＰ識別ＩＤと店鋪番号を登録する段階、端末機初期化のトークン処理が完了した販売者の決済用端末機６００に応答する段階を遂行することができる。
【００６８】
決済用端末機初期化段階で、前記加盟店ＡＳＰサーバー３００は、トークン、端末機識別番号、電話番号を受信するパラメーター受信段階、受信したトークンをキー値として前記トークン情報３９３で取引識別番号とトークン処理時刻を照会する段階、前記トークン処理時刻が有効な値でない場合、受信した電話番号をキー値としてＡＳＰ契約情報３９１を照会して契約代表者の電話番号と一致するＡＳＰ識別ＩＤと店鋪番号を照会する段階、一致する情報が検索されれば契約代表者電話番号を使用する移動通信端末機１００を決済用端末機６００として使用するものと認められ、前記パラメーターである端末機識別番号をキー値として決済端末機情報３９２にＡＳＰ識別ＩＤ、電話番号と店鋪番号を登録する段階、決済端末機情報３９２登録処理が完了したことを販売者の決済用端末機６００に応答する段階を遂行することができる。
【００６９】
決済用端末機初期化段階で、前記加盟店ＡＳＰサーバー３００は、トークン、端末機識別番号、電話番号を受信するパラメーター受信段階、受信したトークンをキー値として前記トークン情報３９３で取引識別番号とトークン処理時刻を照会する段階、前記トークン処理時刻が有効な値でない場合、受信した電話番号をキー値としてＡＳＰ契約情報３９１を照会して契約代表者の電話番号と一致するＡＳＰ識別ＩＤと店鋪番号を照会する段階、一致する情報が検索されなければトークンが未処理であるものと判定し、販売者の決済用端末機６００に未処理状態であることを知らせる応答段階を遂行することができる。
【００７０】
前記加盟店ＡＳＰサーバー３００は、決済用ネットキー要請を受信すると、前記要請に含まれた取引関連情報に基づいてトークンを生成し、前記生成されたトークン及び加盟店識別子に基づいて決済用ネットキーを生成することができる。
【００７１】
決済用ネットキー生成段階で、前記加盟店ＡＳＰサーバー３００は、販売者決済用端末機識別番号、決済金額、分割回数をパラメーターで受け、受信した販売者決済用端末機６００の識別番号をキー値として前記決済端末情報３９２を照会して決済端末機登録可否を確認する段階を遂行することができる。
【００７２】
決済用ネットキー生成段階で、前記加盟店ＡＳＰサーバー３００は、唯一の取引識別番号を生成し、生成した取引識別番号をキー値としてＡＳＰ取引情報３９４に情報を追加するＡＳＰ取引情報作成過程を遂行することができる
決済用ネットキー生成段階で、前記加盟店ＡＳＰサーバー３００は、唯一のトークンを生成し、生成したトークンをキー値としてトークン情報３９３に情報を追加するトークン情報作成過程を遂行することができる。
【００７３】
決済用ネットキー生成段階で、前記加盟店ＡＳＰサーバー３００は、ＡＳＰ取引情報作成過程で取引識別番号、決済用端末機識別番号、処理要求日、処理区分、請求金額、分割回数のデータ等を登録することができる。
【００７４】
決済用ネットキー生成段階で、前記加盟店ＡＳＰサーバー３００は、トークン情報作成過程でトークン、前記取引識別番号、トークン発行時刻のデータ等を登録することができる。
【００７５】
前記加盟店ＡＳＰサーバー３００は、決済用ネットキーの伝達を受けたスマート金庫と連動して前記生成されたトークンを処理することができる。この際、前記加盟店ＡＳＰサーバー３００は、前記スマート金庫サーバー２００からトークンと電話番号を受信し、前記トークン情報３９３からトークンと一致する取引識別番号を取得する段階、取得した取引識別番号をキー値としてＡＳＰ取引情報３９４から取引識別番号が一致する処理区分を取得する段階、取得した処理区分が決済用の場合、ＡＳＰ取引情報３９４のトークン処理端末機電話番号の項目を前記受信した電話番号に更新する段階、前記トークン情報３９３のトークン処理時刻をシステム時刻に更新する段階を遂行することができる。
【００７６】
前記加盟店ＡＳＰサーバー３００は、決済用端末機からトークンの確認要請を受信して前記トークンの処理成否を確認することができる。この際、前記加盟店ＡＳＰサーバー３００は、トークンを受信するパラメーター受信段階、受信したトークンをキー値として前記トークン情報３９３でトークン処理時刻を照会する段階、前記トークン処理時刻が有効な値がある場合、トークンが処理されたものと判定し、販売者の決済用端末機６００に応答する段階を遂行することができる。
【００７７】
また前記加盟店ＡＳＰサーバー３００は、トークンを受信するパラメーター受信段階、受信したトークンをキー値として前記トークン情報３９３でトークン処理時刻を照会する段階、前記トークン処理時刻が有効な値でない場合、トークンが未処理であるものと判定し、決済用端末機６００に未処理状態であることを知らせる応答段階を遂行することができる。
【００７８】
図６は、本明細書の実施例によるウェブサーバー４００の機能ブロック図である。
【００７９】
図６を参照してみれば、本明細書の実施例によるウェブサーバー４００は、トークン管理機能部４１０、トークン監視機能部４２０、会員情報４９１、トークン情報４９２、取引情報４９３を保管／管理するデータベース４９０を含むことができる。
【００８０】
図７は、本明細書の実施例によって販売者の決済用端末機６００で決済用アプリケーションが実行されるフロー図である。
【００８１】
図７を参照すれば、アプリケーションが実行される時、決済端末機６００は初期化状態を取得する（Ｓ１）。このとき、初期化未完了状態の場合、決済端末機は初期化を実施する（Ｓ３）。
【００８２】
決済用端末機６００は、決済金額の入力を受け（Ｓ４）、決済を要請する（Ｓ５）。決済端末機６００は、トークン処理を確認し（Ｓ６）、処理状態が完了である場合、決済結果を画面に表示する（Ｓ８）。もし処理状態が未完了である場合、決済端末機６００は表示部６５０にトークンが未処理であることを知らせるメッセージを表示する（Ｓ９）。
【００８３】
図８は、本明細書の実施例によるオンライン売場での決済過程を示したフロー図である。
【００８４】
図８を参照すれば、決済用（クライアント）端末機５００のウェブブラウザーで決済（または認証及び会員登録）が必要な場合、入力部を操作してネットワーク網９２０を経由してウェブサーバー４００に決済を要請する（Ａ１）。ウェブサーバー４００は、受信した金額情報とサイトＩＤを基盤として加盟店ＡＳＰサーバー３００に決済用ネットキーを要求する（Ａ２）。加盟店ＡＳＰサーバー３００は、トークン発行機能部３１０でトークンを発行し、トークンと加盟店識別ＩＤを組み合わせた決済用ネットキーを生成し、生成したトークンと決済用ネットキーをウェブサーバーに応答する（Ａ３）、この際、加盟店ＡＳＰサーバー３００は、ＡＳＰ取引情報とトークン情報３９３にデータを追加する、ウェブサーバー４００は、受信した決済用ネットキーでＱＲコードイメージを生成し、ＱＲコードイメージを含む画面を生成して決済用（クライアント）端末機５００に応答する（Ａ４）。この際、ウェブサーバー４００は、取引情報４９３、トークン情報４９２にデータを追加する。
【００８５】
決済用（クライアント）端末機５００は、ＱＲコードイメージがある画面を表示し、該当トークンについてウェブサーバー４００にトークン処理監視を要請する（Ａ５）。ウェブサーバー４００のトークン監視機能部４２０は、トークン情報４９２を定められた時間周期で監視し、トークンの処理が完了すれば決済用（クライアント）端末機５００にトークン処理完了を通知する（Ａ６）。使用者は、端末機１００の入力部を操作してＱＲコードでネットキーを受信するか、または近距離通信を介して決済用ネットキーを受信する。そして、受信した決済用ネットキーをスマート金庫２００に送信し、スマート金庫サーバー２００と加盟店ＡＳＰサーバー３００とウェブサーバー４００は、互いに通信しながら、システム間に連動して決済についてのトークンを処理する（Ａ７）。Ａ６段階で、トークン処理完了が決済用（クライアント）端末機５００に通知されれば、決済用端末５００は、ウェブサーバー４００にトークン処理結果画面を要求する（Ａ８）。ウェブサーバーは、トークン処理結果画面を生成し、決済用端末機５００に応答する（Ａ９）。決済用端末機５００は、受信した結果画面を表示する（Ａ１０）。
【００８６】
図９は、本明細書の実施例による決済用端末機６００初期化過程を示したフロー図である。
【００８７】
図９を参照すれば、決済用端末機６００（例えば、スマートフォン）は、決済用アプリケーションが起動されると、保存部６４０に端末機初期化状態情報が保管されているか状態を確認し、初期化段階が未実施である場合、入力部６５０の操作により端末機使用のための同意と共に加盟店ＡＳＰサーバー３００に端末機初期化ネットキーを要求することができる（Ｂ１）。加盟店ＡＳＰサーバー３００は、決済用端末機識別番号、電話番号を受信し、唯一の取引識別番号を生成し、生成した取引識別番号をキー値としてＡＳＰ取引情報３９４にデータを追加する。そして、唯一のトークンを生成し、生成したトークンをキー値としてトークン情報３９３にデータを追加し、生成したトークンと加盟店識別ＩＤを組み合わせた初期化ネットキーを生成する。その後、初期化ネットキーを決済用端末機６００に応答する（Ｂ２）。決済用端末機６００は、受信した初期化ネットキーからトークンを抽出し、初期化ネットキーでＱＲコードイメージを生成し、生成したＱＲコードイメージを表示部６２０に表示する（Ｂ３）。購買者は、端末機１００の入力部を操作してＱＲコードから初期化ネットキーを受信するか、または近距離通信を介して初期化ネットキーを受信し、受信した初期化ネットキーをスマート金庫２００に送信する。スマート金庫サーバー２００と加盟店ＡＳＰサーバー３００は、互いに通信しながら、システム間に連動して決済端末機６００初期化についてのトークンを処理する（Ｂ４）。決済用端末機６００は、トークン、電話番号、端末機識別番号を基盤として加盟店ＡＳＰサーバー３００にトークン処理確認を要求する（Ｂ５）。加盟店ＡＳＰサーバー３００は、受信したトークンと電話番号でトークン情報３９３、ＡＳＰ契約情報データベースを照会してトークン処理成否を確認し、トークンが未処理である場合、未処理状態を決済用端末機６００に応答し、トークンが処理された場合、決済端末情報データベースに端末機識別番号をキー値として決済端末機６００を登録する。そして、決済用端末機６００にトークン処理完了を応答する（Ｂ６）。決済用移動通信端末６００は、受信したトークン処理状態が未処理である場合、表示部６２０に未処理状態を知らせるメッセージを表示し、トークンが処理完了である場合、保存部６４０に端末機初期化完了状態を保管し、次の画面に移動する（Ｂ７）。
【００８８】
図１０は、本明細書の実施例による決済用端末機６００を利用して決済する過程を示したフロー図である。
【００８９】
図１０を参照すれば、決済用端末機６００は決済する金額の入力を受け、加盟店ＡＳＰサーバー３００に決済金額及び決済関連情報を伝送して決済を要請する（Ｂ１）。この際、前記決済要請は、決済用ネットキーを要請することであることができる。加盟店ＡＳＰサーバー３００は、決済金額及び決済関連情報（分割回数、決済用端末機識別番号等）を受信した後、唯一の取引識別番号を生成し、生成した取引識別番号をキー値としてＡＳＰ取引情報３９４にデータを追加することができる（ＡＳＰ取引情報作成）。加盟店ＡＳＰサーバー３００は、唯一のトークンを生成し、生成したトークンをキー値としてトークン情報３９３にデータを追加し（トークン情報作成）、生成したトークンと加盟店識別ＩＤを組み合わせた決済用ネットキーを生成する。加盟店ＡＳＰサーバー３００は、決済用ネットキーを決済用端末機６００に伝送する（Ｂ２）。決済用端末機６００は、受信した決済用ネットキーを購買者の端末機へ伝達する。この際、決済用端末機６００は、受信した決済用ネットキーを基盤にＱＲコードイメージを生成することができる。決済用端末機６００は、生成したＱＲコードイメージを表示部６２０に表示する（Ｂ３）。購買者端末機は、ＱＲコードを読み取って決済用ネットキーを抽出するか、または近距離通信を介して決済用ネットキーを受信し、受信した決済用ネットキーをスマート金庫２００に送信する。スマート金庫サーバー２００と加盟店ＡＳＰサーバー３００は、互いに通信しながら、システム間に連動して前記要請された決済（決済についてのトークン）を処理する（Ｂ４）。決済用端末機６００は、加盟店ＡＳＰサーバー３００にトークン処理確認を要求することができる（Ｂ５）。加盟店ＡＳＰサーバー３００は、受信したトークンでトークン情報３９３を照会してトークン処理成否を確認する。加盟店ＡＳＰサーバー３００は、トークンが未処理である場合、未処理状態を決済用端末機６００に応答し、トークンが処理された場合、決済用移動通信端末６００にトークン処理完了を応答することができる（Ｂ６）。決済用移動通信端末６００は、受信したトークン処理状態が未処理である場合、表示部６２０に未処理状態を知らせるメッセージを表示し、トークンが処理完了である場合、決済結果画面（処理完了画面）に移動する（Ｂ７）。
【００９０】
図１１は、本明細書の実施例による決済用端末機６００の初期化過程画面を示した図面である。
【００９１】
図１１の（ａ）は、決済用端末機が初期化されなかった場合、決済用端末機６００の表示部６２０に表示された画面である。
【００９２】
図１１の（ａ）で入力部６５０の操作により決済用端末機初期化を選択すれば、決済用端末機６００は、加盟店ＡＳＰサーバー３００に初期化ネットキーを要求する。加盟店ＡＳＰサーバー３００で、図９で説明したＢ２段階を実施する。図１１の（ｂ）は、決済用端末機が初期化ネットキーを受信しＱＲコードイメージを生成、表示した画面である。
【００９３】
図１１の（ｃ）は、初期化完了である場合に実行された画面である。図１１の（ｄ）は、画面（ｃ）で入力部６５０操作により利用開始を選択した後、決済金額を入力するように備えられた画面である。
【００９４】
図１２は、本明細書の実施例による決済用端末機６００を利用した決済過程を示した図面である。
【００９５】
図１２の（ａ）は、決済金額を入力する画面である。（図１０のＢ１過程）
図１２の（ａ）で入力部６５０の操作により決済要求を選択すれば、決済用端末機６００は、加盟店ＡＳＰサーバー３００に決済用ネットキーを要求し、加盟店ＡＳＰサーバーから決済用ネットキーの受信を受けて、ＱＲコードイメージを生成し表示する。図１２の（ｂ）は、前記過程を示した画面である。
【００９６】
決済確認が選択されると、決済用端末機６００は、加盟店ＡＳＰサーバー３００に決済確認を要求し、未処理状態を受信すれば未処理状態を知らせるメッセージを表示する。図１２の（ｃ）は、前記過程を示した画面である。
【００９７】
購買者の移動通信端末機１００は、決済用ネットキーの受信を受けて、決済のためのトークンを処理した後、決済用端末機６００では決済確認を選択して、加盟店ＡＳＰサーバー３００に決済確認を要求する。図１２の（ｄ）は、応答の状態が決済完了である場合、決済が完了したことを表示する画面である。
【００９８】
本明細書の実施例で、移動通信端末機１００と決済用端末機６００は、通常のスマートフォン、タブレットＰＣ等であることができる。アプリケーションは保存部に保管され、制御部の統制によって実施される。
【００９９】
本明細書の実施例で、スマート金庫２００と加盟店ＡＳＰサーバー３００、ウェブサーバー４００は、通常のサーバーシステムでサーバー運営体系を有し、処理する過程とステップをプログラムしたアプリケーションは、コンピューターで読むことができる記録媒体である保存部に保管され、制御部の統制によってロードされて実施される。
【０１００】
本明細書のスマート金庫２００のデータベース２９０、加盟店ＡＳＰサーバー３００のデータベース３９０、ウェブサーバー４００のデータベース４９０は、通常のデータベースサーバーであることができ、各種情報データベースの情報作成、削除、更新を管理するアプリケーションで具現されることができる。
【０１０１】
以上で説明した本明細書の実施例は、装置及び方法を介してのみ具現されるものではなく、本明細書の実施例の構成に対応する機能を実現するプログラムまたはそのプログラムが記録された記録媒体を介して具現されることもできる。
【０１０２】
以上で本明細書の実施例について説明したが、本明細書の権利範囲はこれに限定されるものではなく、本明細書の基本概念を利用した当業者の変形及び改良形態も本明細書の権利範囲に属するものである。
【図１】
2015526774.tif 000003
【図２】
2015526774.tif 000004
【図３】
2015526774.tif 000005
【図４】
2015526774.tif 000006
【図５】
2015526774.tif 000007
【図６】
2015526774.tif 000008
【図７】
2015526774.tif 000009
【図８】
2015526774.tif 000010
【図９】
2015526774.tif 000011
【図１０】
2015526774.tif 000012
【図１１】
2015526774.tif 000013
【図１２】
2015526774.tif 000014
【国際調査報告】
2015526774.tif 000015
2015526774.tif 000016
2015526774.tif 000017
2015526774.tif 000018